(57)【特許請求の範囲】
【請求項１】
原稿に対して光源ランプを移動させることにより照射位置を順次変更させて該原稿を走査して原稿に形成された画情報を取得する画像読取装置の、前記光源ランプを移動させる駆動力を付与する駆動軸に取り付けられて該駆動軸の回転の安定を図る回転軸用慣性錘において、
ほぼ円筒形を、その軸を含む面で切断して錘片を形成し、
前記錘片を原形状の円筒形に組立・分解自在としたことを特徴とする回転軸用慣性錘。
【請求項２】
前記慣性錘を２分割としたことを特徴とする請求項１に記載の回転軸用慣性錘。
【発明の詳細な説明】
【０００１】
【発明の属する技術分野】
この発明は、各種装置に用いられている回転軸の回転を円滑に安定して行なわせるために該回転軸に嵌着される慣性錘に関し、特に、複写機やファクシミリ、スキャナなど走査機能を備えた画像読取装置の該走査のための駆動軸に適した慣性錘に関する。
【０００２】
【従来の技術】
原稿静止型の画像読取装置では、プラテンガラス上に載置された原稿に対して光源ランプを移動させながら、ライン毎に画情報を取得する走査が行なわれる。この光源ランプを移動させる駆動機構は、回転する駆動軸に嵌着させたプーリと、該光源ランプを搭載して原稿の全域にわたって移動するフルレートキャリッジとを連繋させ、該ワイヤの移動によってキャリッジを移動させる機構が用いられている。なお、光源ランプで原稿を照射した反射光は、ＣＣＤ（電荷結像素子）などの光電変換デバイスに導く必要があると共に、原稿から光電変換デバイスまでの光路長が、キャリッジの移動によってもほぼ一定である必要がある。このため、画像読取装置では、前記フルレートキャリッジの他に該フルレートキャリッジのほぼ１／２の移動量でフルレートキャリッジと同期して移動するハーフレートキャリッジが備えられている。そして、フルレートキャリッジには第１反射鏡が取り付けられ、ハーフレートキャリッジには第２反射鏡と第３反射鏡とが取り付けられており、原稿からの反射光はこれら第１反射鏡と第２反射鏡、第３反射鏡によって適宜方向に反射されて前記光電変換デバイスに導かれるようになっている。
【０００３】
上述したように、画像読取装置では、フルレートキャリッジとハーフレートキャリッジは確実な走査を行なわなければならず、そのためには一定速度での安定した移動が要求される。このため、前記駆動軸に慣性錘が嵌着されて、該駆動軸の回転の安定化を図っている。
【０００４】
【発明が解決しようとする課題】
しかしながら、上述した従来の回転軸用慣性錘では、該慣性錘を円筒状や環状に形成し、駆動軸に嵌着する際に、該駆動軸を慣性錘に挿入するようにしている。このため、例えば駆動軸に慣性錘を追加したり、別の慣性錘と交換しようとする場合には、前記駆動プーリなどの駆動軸に連繋した部品を取り外し、駆動軸を画像読取装置の筐体から取り外して行なわなければならない。したがって、慣性錘の追加作業や交換作業が煩雑となっている。
【０００５】
そこで、この発明は、駆動軸を取り外すことなく、追加や交換を行なうことができるようにした回転軸用慣性錘を提供することを目的としている。
【０００６】
【課題を解決するための手段】
前記の目的を達成するための技術的手段として、この発明に係る回転軸用慣性錘は、原稿に対して光源ランプを移動させることにより照射位置を順次変更させて該原稿を走査して原稿に形成された画情報を取得する画像読取装置の、前記光源ランプを移動させる駆動力を付与する駆動軸に取り付けられて該駆動軸の回転の安定を図る回転軸用慣性錘において、ほぼ円筒形を、その軸を含む面で切断して錘片を形成し、前記錘片を原形状の円筒形に組立・分解自在としたことを特徴としている。
【０００７】
慣性錘を追加する場合には、予め分解してある錘片を回転軸に組み付けて、慣性錘として組立ればよい。なお、組立られた慣性錘は、不用意に分解されないように、適宜な係止手段によって相互に、あるいは回転軸に固定する。係止手段としては、例えば錘片の対向させて合せる面の一方に雌ネジ部を螺刻し、他方に貫通孔を形成し、該貫通孔を挿通させて固定ネジを雌ネジ部に螺合させることにより錘片を相互に固定するようにする構造などを採用する。
【０００９】
画像読取装置では、原稿を走査するためのキャリッジの移動を安定化させるために、駆動軸を一定回転に保つ必要があり、慣性錘が該駆動軸に嵌着されている。しかも、走査状態を慣性錘の慣性力を調整することにより設定する場合があり、この設定のために、必要に応じて慣性錘の追加や交換が行なわれる。例えば、慣性錘を交換する場合には駆動軸に装着されている慣性錘を分解すれば、駆動軸を取り外すことなく慣性錘を取り外すことができる。そして、新たな慣性錘を、その錘片を駆動軸に組み付けて、係止手段などによって錘片を相互にあるいは駆動軸に固定する。また、慣性錘を追加する場合には、新たな錘片を組み付けて係止手段などによって固定すればよい。
【００１０】
また、請求項２の発明に係る回転軸用慣性錘は、請求項１の回転軸用慣性錘において、該慣性錘を２分割としたことを特徴としている。
【００１１】
慣性錘の分割数は必要に応じて適宜なものとすればよいが、加工が簡単であり、組立を簡便に行なえるように２分割とする。
【００１２】
【発明の実施の形態】
以下、図示した好ましい実施の形態に基づいて、この発明に係る回転軸用慣性錘を具体的に説明する。この実施形態では、回転軸として画像読取装置に用いられる駆動軸を例示して説明してある。図５は、この画像読取装置１の駆動機構を説明する概略の斜視図である。筐体２の一方の端部に駆動軸３が回転自在に支持されており、この駆動軸３に嵌着された被動側プーリ４とモータ５の出力軸に嵌着された駆動側プーリ６とに駆動ベルト７が掛け渡されて、モータ５の出力回転が駆動軸３に伝達される。駆動軸３の両端部には駆動プーリ８が嵌着されている。この駆動プーリ８にはワイヤ９が巻回されている。このワイヤ９は適宜な経路で張設されて、光源ランプが搭載されたフルレートキャリッジ10とハーフレートキャリッジ11とに連繋させてある。そして、駆動軸３の回転方向に応じてワイヤ９が駆動プーリ８に巻き取られる方向が異なり、この方向の変更によってフルレートキャリッジ10とハーフレートキャリッジ11が往復移動することになる。
【００１３】
また、フルレートキャリッジ10には図示しない第１反射鏡が、ハーフレートキャリッジ11には図示しない第２反射鏡と第３反射鏡とが取り付けられている。さらに、筐体２の底板には図示しない結像レンズ及びＣＣＤ（電荷結像素子）などの光電変換デバイスが設けられている。そして、筐体２の上部には原稿が載置される図示しないプラテンガラスが取り付けられ、前記光源ランプから該原稿を照射する。原稿で反射した光は、前記第１反射鏡と第２反射鏡、第３反射鏡で順次反射されて前記結像レンズを透過して光電変換デバイスに入射するようにしてある。このとき、フルレートキャリッジ10は最大サイズの原稿に対して走査できるように、プラテンガラスの全域に対して移動するようにしてあり、ハーフレートキャリッジ11はフルレートキャリッジ10に同期して該フルレートキャリッジ10の移動量のほぼ１／２の移動量で移動するようにしてある。これによって、原稿から光電変換デバイスまでの光路長を、フルレートキャリッジ10が移動してもほぼ一定に保つようにしてある。
【００１４】
そして、前記駆動軸３には、この駆動軸３が安定して回転するように、慣性錘12が嵌着されている。この慣性錘12は、図１に示すように、円筒形をその軸を含む面で２分割して、ほぼ半円の外周面13a とほぼ半円の内周面13b とを有する形状に形成された一対の錘片13を、図３に示すように組合せて形成されている。この、錘片13の合せ面14の適宜位置には、図１及び図２に示すように、僅かに突出した座部15が長手方向に形成されている。また、錘片13を合せ面14を対向させて合せた状態で、内周面13b によって形成された筒状部に前記駆動軸３が挿入される。
【００１５】
前記座部15の表面から外周面13a にかけて、図１(ａ)に示すように、段付の透孔16が形成されている。この透孔16は、同図に示すように、座部15側よりも外周面13a 側の方が拡径されて座ぐり部16a が形成されている。他方、錘片13を組合せた状態で、前記透孔16が臨む部分には、雌ネジ部17が螺刻されている。すなわち、前記透孔16を挿通させた固定ネジ18（図４示）がこの雌ネジ部17に螺合するようにしてあり、また該固定ネジ18の頭部は上記座ぐり部16a に収容されるようにしてある。そして、座部15の表面と、錘片13を組合せた状態で該座部15が対向する合せ面14の部分とを所定の平面度となるように形成されている。なお、その他の合せ面14の部分は粗面であって構わない。
【００１６】
この実施形態に係る慣性錘12を駆動軸３に装着するには、一対の錘片13をその内周面13b に駆動軸３を抱持するように装着し、前記透孔16に固定ネジ18を挿通させて、前記雌ネジ部17に螺合させて締め付ければ、一対の錘片13が円筒状となって駆動軸３に取り付けられた状態となる。このため、駆動軸３を筐体２から取り外さなくても、慣性錘12を容易に追加することができる。
【００１７】
また、駆動軸３に装着されている慣性錘12を取り外すには、固定ネジ18を緩めれば、該慣性錘12は一対の錘片13に分解されるから、駆動軸３から取り外すことができる。このため、慣性錘12を容易に交換することができる。
【００１８】
ここに例示した実施形態では、２分割されるようにした慣性錘12について説明したが、２分割に限らないこと勿論である。また、固定ネジ18によって一対の錘片13を固定する構造について説明したが、固定ネジ18に限らず、一対の錘片13を固定できる構造であれば、いかなるものであっても構わない。また、それぞれの錘片13を駆動軸３に固定する構造としても構わない。
【００１９】
【発明の効果】
以上説明したように、この発明に係る回転軸用慣性錘によれば、回転軸をその支持部から取り外さなくても慣性錘を着脱することができる。したがって、回転軸を装置などに組み込んだ後であっても、回転軸の慣性力を調整することができる。
【００２０】
そして、画像読取装置の駆動軸に装着される慣性錘に用いたから、該駆動軸の回転を安定させるための調整を容易に行なうことができ、原稿の画像データを確実に取得することができる。
【００２１】
また、請求項２の発明に係る回転軸用慣性錘は、慣性錘を２分割とすることにより最小の分割数となり、部品点数を増加させることがない。
【図面の簡単な説明】
【図１】この発明の実施形態に係る回転軸用慣性錘の錘片を示す図で、(ａ)は図２におけるＡ−Ａ線に沿って切断した断面図、(ｂ)は図２におけるＢ−Ｂ矢視図である。
【図２】この発明の実施形態に係る回転軸用慣性錘の錘片の平面図である。
【図３】この発明の実施形態に係る回転軸用慣性錘の側面図である。
【図４】この発明の実施形態に係る回転軸用慣性錘の平面図である。
【図５】この発明に係る回転軸用慣性錘を備えた画像読取装置の駆動機構の概略を示す斜視図で、一部を切断して示してある。
【符号の説明】
１  画像読取装置
２  筐体
３  駆動軸
８  駆動プーリ
９  ワイヤ
10  フルレートキャリッジ
11  ハーフレートキャリッジ
12  慣性錘
13  錘片
15  座部
16  透孔
17  雌ネジ部
18  固定ネジ
【図１】
0003793832.tif 000002
【図２】
0003793832.tif 000003
【図３】
0003793832.tif 000004
【図４】
0003793832.tif 000005
【図５】
0003793832.tif 000006